(57)【要約】【課題】十分な耐震性能を発揮しつつも、室内に設けても壁としての抵抗感がなく、室内空間を広く開放的に見せることができる耐力壁を提供する。【解決手段】耐力壁10は、下横架材20と、下横架材20上に所定間隔をあけて立設されている第１外側柱31および第２外側柱32と、第１外側柱31と第２外側柱32との間に位置し、下横架材20上に所定間隔をあけて立設されている複数の内側柱と、第１外側柱31の上部、各内側柱の上部、および第２外側柱32の上部と接合されている上横架材50とを備える。下横架材20と第１外側柱31と第２外側柱32と上横架材50とによって、四角形の外枠が形成される。外枠の対角線上であって、第１外側柱31と最も第１外側柱31寄りの内側柱との間、隣り合う内側柱同士の間、および第２外側柱32と最も第２外側柱32寄りの内側柱との間に、それぞれ、角材80を嵌め込む。【選択図】図１
2008255624.tif 000002
【特許請求の範囲】
【請求項１】
水平方向に延びる下横架材と、
下横架材に対して垂直になるように下横架材上に所定間隔をあけて立設されている第１外側柱および第２外側柱と、
第１外側柱と第２外側柱との間に位置し、下横架材に対して垂直になるように下横架材上に所定間隔をあけて立設されている複数の内側柱と、
下横架材に対して平行になるように下横架材の上方に配置され、第１外側柱の上部、各内側柱の上部、および第２外側柱の上部と接合されている上横架材とを備え、
下横架材と第１外側柱と第２外側柱と上横架材とによって、四角形の外枠が形成されるとともに、外枠の対角線上であって、第１外側柱と最も第１外側柱寄りの内側柱との間、隣り合う内側柱同士の間、および第２外側柱と最も第２外側柱寄りの内側柱との間には、それぞれ、角材が嵌め込まれていることを特徴とする耐力壁。
【請求項２】
隣り合う内側柱同士の間であって、下横架材付近および上横架材付近には、それぞれ、角材が嵌め込まれていることを特徴とする請求項１記載の耐力壁。
【請求項３】
第１外側柱、第２外側柱、および内側柱を総称して柱とし、
各角材における柱側の側面には、凸部が設けられ、
各柱の側面における角材の嵌め込み箇所に対応する位置には、角材の側面に設けられている凸部が嵌る凹部が設けられていることを特徴とする請求項１または２記載の耐力壁。
【請求項４】
第１外側柱、第２外側柱、および内側柱を総称して柱とし、
各角材には、一方の柱側側面から他方の柱側側面まで貫通する角材貫通孔が設けられ、
各柱における角材の嵌め込み箇所に対応する位置には、角材貫通孔と同一直線上に位置して角材側の側面から角材とは反対側の側面まで貫通する柱貫通孔が設けられ、
角材貫通孔およびその両側の柱貫通孔には、一方の柱貫通孔から角材貫通孔を介して他方の柱貫通孔まで至る木栓が圧入されていることを特徴とする請求項１、２または３記載の耐力壁。
【発明の詳細な説明】
【技術分野】
【０００１】
本発明は、耐力壁に関し、特に、十分な耐震性能を発揮しつつも、室内に設けても壁としての抵抗感がなく、室内空間を広く開放的に見せることができる耐力壁に関する。
【背景技術】
【０００２】
従来から、木造住宅等の建物には、当該建物に加わる水平方向の外力に対する耐力を負担させるために、耐力壁が設置されている。
また、耐力壁としては、その両側位置に鉛直方向に延びる柱をそれぞれ立設し、これらの柱の下端を、水平方向に延びる土台等の下横架材で連結するとともに、これらの柱の上端を、水平方向に延びる梁等の上横架材で連結して、四角形状の外枠を形成し、そして、外枠の内側に筋交いをＸ字形にたすきがけしたものや、外枠の開口全体を塞ぐように構造用合板を張り付けたものや、あるいは、外枠の内側に筋交いをＸ字形にたすきがけした上に外枠の開口全体を塞ぐように構造用合板を張り付けたものなどが一般的に知られている。
【０００３】
また、光や風を通す耐力壁として、木材を格子状に組み合わせた構造体を四角形状の外枠の開口内部に取り付けて構成される耐力壁がある（特許文献１参照）。
【特許文献１】特開２００５−３２５６３９号公報
【発明の開示】
【発明が解決しようとする課題】
【０００４】
特許文献１に開示されている耐力壁では、光や風を通すものの、外枠の開口内部に取り付けられる構造体が木材を格子状に組み合わせたものであるため、外枠がひし形になるような変形を完全に防止するまでには至らない。
（請求項１）
請求項１記載の発明は、下横架材と第１外側柱と第２外側柱と上横架材とによって形成される四角形の外枠の内側に、複数の内側柱を立設し、そして、外枠の対角線上であって、第１外側柱と最も第１外側柱寄りの内側柱との間、隣り合う内側柱同士の間、および第２外側柱と最も第２外側柱寄りの内側柱との間に、それぞれ、角材を嵌め込むことにより、外枠の対角線上に位置する内側柱および角材が筋交いとして機能するようにして、外枠がひし形になるような変形を防止しつつも、角材が嵌め込まれていない部分は光や風を通すことから、室内に設けても壁としての抵抗感がなく、室内空間を広く開放的に見せることができ、その上、意匠的にも美しく、しかも、角材の上には装飾品などを置くことができる耐力壁を提供することを目的とする。
【０００５】
（請求項２）
請求項２記載の発明は、隣り合う内側柱同士の間であって、下横架材付近および上横架材付近に、それぞれ、角材を嵌め込むことにより、内側柱と角材とによって、変形しにくい四角形の構造体を形成し、この変形しにくい四角形の構造体によって、外枠がひし形になるような変形を防止し、高い耐震性能を発揮する耐力壁を提供することを目的とする。
（請求項３）
請求項３記載の発明は、第１外側柱、第２外側柱、および内側柱を総称して柱とし、各角材における柱側の側面に、凸部を設けるとともに、各柱の側面における角材の嵌め込み箇所に対応する位置に、凸部が嵌る凹部を設けることにより、水平方向の力が加わると、変形し始めてすぐに、凸部と凹部とが互いに引っ掛かり合うようにして、高い初期剛性を発揮するとともに、より高い耐震性能を発揮する耐力壁を提供することを目的とする。
【０００６】
（請求項４）
請求項４記載の発明は、第１外側柱、第２外側柱、および内側柱を総称して柱とし、各角材には、角材貫通孔を設けるとともに、各柱における角材の嵌め込み箇所に対応する位置には、柱貫通孔を設け、そこに木栓を圧入することにより、水平方向の力が加わったときに、柱に対して角材がずれるのを、木栓が阻止するようにしつつも、木栓の柔軟性により、柱や角材や木栓が、一気に破壊されるのではなく、ゆっくりと破壊されるようにして、つまり、粘りを発揮するようにして、より高い耐震性能を発揮する耐力壁を提供することを目的とする。
【課題を解決するための手段】
【０００７】
（請求項１）
請求項１記載の発明は、耐力壁10に係るものであって、水平方向に延びる下横架材20と、下横架材20に対して垂直になるように下横架材20上に所定間隔をあけて立設されている第１外側柱31および第２外側柱32と、第１外側柱31と第２外側柱32との間に位置し、下横架材20に対して垂直になるように下横架材20上に所定間隔をあけて立設されている複数の内側柱と、下横架材20に対して平行になるように下横架材20の上方に配置され、第１外側柱31の上部、各内側柱の上部、および第２外側柱32の上部と接合されている上横架材50とを備え、下横架材20と第１外側柱31と第２外側柱32と上横架材50とによって、四角形の外枠が形成されるとともに、外枠の対角線上であって、第１外側柱31と最も第１外側柱31寄りの内側柱との間、隣り合う内側柱同士の間、および第２外側柱32と最も第２外側柱32寄りの内側柱との間には、それぞれ、角材80が嵌め込まれていることを特徴とする。
【０００８】
ここで、「下横架材20」は、水平方向に延びる部材である。
つまり、耐力壁10を構成する外枠の下側の横架材が、下横架材20である。
例えば、建物の１階用の耐力壁10であれば、「土台20」が、下横架材20に該当する。
また、「第１外側柱31」は、下横架材20に対して垂直になるように下横架材20上に立設される部材であり、また、「第２外側柱32」は、下横架材20に対して垂直になるように下横架材20上に立設される部材であって、第１外側柱31とは所定間隔をあけて配置されるものである。
例えば、耐力壁10を構成する外枠の右側の柱を、第１外側柱31とし、耐力壁10を構成する外枠の左側の柱を、第２外側柱32とすることができる。
【０００９】
また、「内側柱」は、下横架材20に対して垂直になるように下横架材20上に立設される部材であって、第１外側柱31と第２外側柱32との間に配置されるものである。また、内側柱は、複数とされ、また、これら複数の内側柱は、互いに所定間隔をあけて配置されるものである。
つまり、耐力壁10を構成する外枠の内側に、複数の内側柱が所定間隔をあけて立設されるのである。
また、「上横架材50」は、下横架材20に対して平行になるように下横架材20の上方に配置され、第１外側柱31の上部、各内側柱の上部、および第２外側柱32の上部と接合される部材である。
【００１０】
つまり、耐力壁10を構成する外枠の上側の横架材が、上横架材50である。
例えば、「梁50」が、上横架材50に該当する。
そして、本発明では、下横架材20と第１外側柱31と第２外側柱32と上横架材50とによって、四角形の外枠が形成されるとともに、外枠の対角線上であって、第１外側柱31と最も第１外側柱31寄りの内側柱との間、隣り合う内側柱同士の間、および第２外側柱32と最も第２外側柱32寄りの内側柱との間には、それぞれ、角材80が嵌め込まれている。
例えば、第１外側柱31と第２外側柱32との間に、内側柱として、第１内側柱41、第２内側柱42および第３内側柱43の３本を立設する。つまり、外枠の内側に、第１内側柱41、第２内側柱42および第３内側柱43の３本の内側柱を立設する。この場合、外枠の対角線上であって、第１外側柱31と最も第１外側柱31寄りの内側柱との間、隣り合う内側柱同士の間、および第２外側柱32と最も第２外側柱32寄りの内側柱との間は、全部で８箇所となり、この８箇所すべてに角材80が嵌め込まれる。
【００１１】
そうすると、外枠の対角線上に位置する内側柱および角材80が、筋交いとして機能する。これにより、外枠がひし形になるような変形を防止できる。
また、角材80が嵌め込まれていない部分は光や風を通すことから、室内に設けても壁としての抵抗感がなく、室内空間を広く開放的に見せることができ、その上、意匠的にも美しく、しかも、角材80の上には装飾品などを置くことができる。
（請求項２）
請求項２記載の発明は、請求項１記載の発明を限定したものであって、隣り合う内側柱同士の間であって、下横架材20付近および上横架材50付近には、それぞれ、角材80が嵌め込まれていることを特徴とする。
【００１２】
このように、隣り合う内側柱同士の間であって、下横架材20付近および上横架材50付近に、それぞれ、角材80を嵌め込む。そうすると、隣り合う内側柱同士と、これらの間であって下横架材20付近に嵌め込まれた角材80と、これらの間であって上横架材50付近に嵌め込まれた角材80とによって、四角形の構造体が形成される。この四角形の構造体は、ひし形にはなりにくい。そして、この四角形の構造体の変形しにくさにより、外枠がひし形になるような変形を防止でき、ひいては耐震性能をより一層向上させることができる。
（請求項３）
請求項３記載の発明は、請求項１または２記載の発明を限定したものであって、第１外側柱31、第２外側柱32、および内側柱を総称して柱とし、各角材80における柱側の側面には、凸部81が設けられ、各柱の側面における角材80の嵌め込み箇所に対応する位置には、角材80の側面に設けられている凸部81が嵌る凹部76が設けられていることを特徴とする。
【００１３】
ここで、第１外側柱31、第２外側柱32、および内側柱を総称して「柱」とする。
また、各角材80における柱側の側面には、凸部81を設ける。
また、各柱の側面における、角材80の嵌め込み箇所に対応する位置には、凹部76を設ける。
そして、柱と柱との間に角材80を嵌め込んだときに、角材80の側面に設けた凸部81が、柱の側面に設けた凹部76に嵌るようにする。もちろん、柱の側面に設けた凹部76は、角材80の側面に設けた凸部81が嵌るような形状・大きさに形成される。特に柱の側面に設けた凹部76は、角材80の側面に設けた凸部81がぴったりと嵌るような形状・大きさに形成することが好ましい。
【００１４】
そうすると、水平方向の力が加わった際に、変形し始めてすぐに、凸部81と凹部76とが互いに引っ掛かり合い、これにより、それ以上の変形が阻止される。したがって、耐力壁10が高い初期剛性を発揮するとともに、高い耐震性能を発揮する。
（請求項４）
請求項４記載の発明は、請求項１、２または３記載の発明を限定したものであって、第１外側柱31、第２外側柱32、および内側柱を総称して柱とし、各角材80には、一方の柱側側面から他方の柱側側面まで貫通する角材貫通孔82が設けられ、各柱における角材80の嵌め込み箇所に対応する位置には、角材貫通孔82と同一直線上に位置して角材80側の側面から角材80とは反対側の側面まで貫通する柱貫通孔77が設けられ、角材貫通孔82およびその両側の柱貫通孔77には、一方の柱貫通孔77から角材貫通孔82を介して他方の柱貫通孔77まで至る木栓90が圧入されていることを特徴とする。
【００１５】
ここで、第１外側柱31、第２外側柱32、および内側柱を総称して「柱」とする。
また、各角材80には、一方の柱側側面から他方の柱側側面まで貫通する「角材貫通孔82」を設ける。
また、各柱における、角材80の嵌め込み箇所に対応する位置には、角材80側の側面から角材80とは反対側の側面まで貫通する「柱貫通孔77」を設ける。
また、柱と柱との間に角材80を嵌め込んだときに、一方の柱貫通孔77と角材貫通孔82と他方の柱貫通孔77とが同一直線上に位置するように、柱貫通孔77および角材貫通孔82を形成する。
【００１６】
そして、角材貫通孔82およびその両側の柱貫通孔77に、一方の柱貫通孔77から角材貫通孔82を介して他方の柱貫通孔77まで至る木栓90を圧入する。
そうすると、水平方向の力が加わったときに、柱に対して角材80がずれるのを、木栓90が阻止する。しかも、木栓90には柔軟性があるため、水平方向の力が加わったときに、柱や角材80や木栓90が、一気に破壊されることはなく、ゆっくりと破壊される。つまり、粘りが発揮される。したがって、耐力壁10が高い耐震性能を発揮する。
【発明の効果】
【００１７】
（請求項１）
請求項１記載の発明によれば、下横架材と第１外側柱と第２外側柱と上横架材とによって形成される四角形の外枠の内側に、複数の内側柱を立設し、そして、外枠の対角線上であって、第１外側柱と最も第１外側柱寄りの内側柱との間、隣り合う内側柱同士の間、および第２外側柱と最も第２外側柱寄りの内側柱との間に、それぞれ、角材を嵌め込んだことから、外枠の対角線上に位置する内側柱および角材が筋交いとして機能するので、外枠がひし形になるような変形を防止でき、また、角材が嵌め込まれていない部分は光や風を通すことから、室内に設けても壁としての抵抗感がなく、室内空間を広く開放的に見せることができ、その上、意匠的にも美しく、しかも、角材の上には装飾品などを置くことができる耐力壁を提供できる。
【００１８】
（請求項２）
請求項２記載の発明によれば、隣り合う内側柱同士の間であって、下横架材付近および上横架材付近に、それぞれ、角材を嵌め込んだことから、内側柱と角材とによって、変形しにくい四角形の構造体が形成され、この変形しにくい四角形の構造体により、外枠がひし形になるような変形を防止できるので、高い耐震性能を発揮する耐力壁を提供できる。
（請求項３）
請求項３記載の発明によれば、第１外側柱、第２外側柱、および内側柱を総称して柱とし、各角材における柱側の側面に、凸部を設けるとともに、各柱の側面における角材の嵌め込み箇所に対応する位置に、凸部が嵌る凹部を設けたことから、水平方向の力が加わると、変形し始めてすぐに、凸部と凹部とが互いに引っ掛かり合うので、それ以上の変形が阻止され、これにより、高い初期剛性を発揮するとともに、高い耐震性能を発揮する耐力壁を提供できる。
【００１９】
（請求項４）
請求項４記載の発明によれば、第１外側柱、第２外側柱、および内側柱を総称して柱とし、各角材に、角材貫通孔を設けるとともに、各柱における角材の嵌め込み箇所に対応する位置には、柱貫通孔を設け、そこに木栓を圧入したことから、水平方向の力が加わったときに、柱に対して角材がずれるのを、木栓が阻止し、しかも、木栓には柔軟性があるため、水平方向の力が加わったときに、柱や角材や木栓が一気に破壊されることはなく、ゆっくりと破壊されるので、高い耐震性能を発揮する耐力壁を提供できる。
【発明を実施するための最良の形態】
【００２０】
図１ないし図４は、本発明の実施の形態を示すものである。
図１は、本実施の形態に係る耐力壁10の正面図、図２は、本実施の形態に係る耐力壁10の分解斜視図、図３および図４は、本実施の形態に係る耐力壁10の分解・要部拡大斜視図である。
（耐力壁10）
本実施の形態に係る耐力壁10は、下横架材20と第１外側柱31と第２外側柱32と上横架材50とによって形成される四角形の外枠の内側に、複数の内側柱を立設し、そして、外枠の対角線上であって、第１外側柱31と最も第１外側柱31寄りの内側柱との間、隣り合う内側柱同士の間、および第２外側柱32と最も第２外側柱32寄りの内側柱との間に、それぞれ、角材80を嵌め込むことにより、外枠の対角線上に位置する内側柱および角材80が筋交いとして機能するようにした耐力壁10である。
【００２１】
図１に示すように、本実施の形態に係る耐力壁10は、水平方向に延びる下横架材20としての土台20と、土台20に対して垂直になるように土台20上に所定間隔をあけて立設されている第１外側柱31および第２外側柱32と、第１外側柱31と第２外側柱32との間に位置し、土台20に対して垂直になるように土台20上に所定間隔をあけて立設されている内側柱としての第１内側柱41、第２内側柱42および第３内側柱43と、土台20に対して平行になるように土台20の上方に配置され、第１外側柱31の上部、第１内側柱41の上部、第２内側柱42の上部、第３内側柱43の上部および第２外側柱32の上部と接合されている上横架材50としての梁50とを備えている。
【００２２】
これにより、本実施の形態に係る耐力壁10では、下横架材20と第１外側柱31と第２外側柱32と上横架材50とによって、四角形の外枠が形成されるとともに、外枠の内側に、第１内側柱41、第２内側柱42および第３内側柱43が所定間隔をあけて立設された構造になっている。
また、本実施の形態に係る耐力壁10では、外枠の対角線上であって、第１外側柱31と最も第１外側柱31寄りの内側柱である第１内側柱41との間、隣り合う内側柱同士である第１内側柱41と第２内側柱42との間、同じく隣り合う内側柱同士である第２内側柱42と第３内側柱43との間、および第２外側柱32と最も第２外側柱32寄りの内側柱である第３内側柱43との間に、それぞれ、角材80が嵌め込まれている。
【００２３】
また、本実施の形態に係る耐力壁10では、隣り合う内側柱同士である第１内側柱41と第２内側柱42との間であって、下横架材20付近および上横架材50付近に、それぞれ、角材80が嵌め込まれているとともに、同じく隣り合う内側柱同士である第２内側柱42と第３内側柱43との間であって、下横架材20付近および上横架材50付近にも、それぞれ、角材80が嵌め込まれている。
また、本実施の形態に係る耐力壁10では、第１外側柱31、第１内側柱41、第２内側柱42、第３内側柱43、および第２外側柱32には、同じ太さの木材が用いられている。
また、本実施の形態に係る耐力壁10では、第１外側柱31と第１内側柱41との間隔、第１内側柱41と第２内側柱42との間隔、第２内側柱42と第３内側柱43との間隔、および第３内側柱43と第２外側柱32との間隔は、等しい。つまり、第１外側柱31、第１内側柱41、第２内側柱42、第３内側柱43、および第２外側柱32を総称して「柱」とすると、本実施の形態に係る耐力壁10では、隣り合う「柱」同士の間隔は、等間隔である。
【００２４】
以下、本実施の形態に係る耐力壁10が備える各構成について詳しく説明する。
（下横架材20／土台20）
図１および図２に示すように、下横架材20としての土台20は、水平方向に延びる部材である。また、図示しないが、土台20は、基礎の上面に載置されるものである。また、本実施の形態では、土台20には、木材が用いられている。
また、図１および図２に示すように、土台20と第１外側柱31との接合、および土台20と第２外側柱32との接合は、座金付きボルト60を用いて行われており、また、土台20と第１内側柱41との接合、土台20と第２内側柱42との接合、および土台20と第３内側柱43との接合は、ホゾ71およびホゾ穴72により行われている。また、座金付きボルト60は、四角板状の座金部61と、この座金部61の上面中央から鉛直上方へ向けて突出するボルト部62とを有している。
【００２５】
また、図１および図２に示すように、土台20には、２つのボルト穴74が設けられているとともに、これら２つのボルト穴74の間には、３つのホゾ穴72が横並びに設けられている。右側のボルト穴74は、第１外側柱31を立てる位置に設けられ、また、左側のボルト穴74は、第２外側柱32を立てる位置に設けられている。また、右側のホゾ穴72は、第１内側柱41を立てる位置に設けられ、また、中央のホゾ穴72は、第２内側柱42を立てる位置に設けられ、また、左側のホゾ穴72は、第３内側柱43を立てる位置に設けられている。
また、図１および図２に示すように、土台20の下面には、座金付きボルト60の座金部61が収まる２つの座掘73が設けられている。また、右側の座掘73は、第１外側柱31を立てる位置に設けられ、また、左側の座掘73は、第２外側柱32を立てる位置に設けられている。また、右側の座掘73と右側のボルト穴74とは連通しており、また、左側の座掘73と左側のボルト穴74とは連通している。
【００２６】
また、図１、図２および図４に示すように、各座掘73には、それぞれ、座金付きボルト60の座金部61が収められているとともに、各ボルト穴74には、それぞれ、座金付きボルト60のボルト部62が挿入されている。
また、図１および図２に示すように、右側のホゾ穴72には、第１内側柱41の下端に設けたホゾ71が、また、中央のホゾ穴72には、第２内側柱42の下端に設けたホゾ71が、また、左側のホゾ穴72には、第３内側柱43の下端に設けたホゾ71が、それぞれ嵌合している。さらに、図示しないが、第１内側柱41、第２内側柱42および第３内側柱43のそれぞれについて、ホゾ穴72に嵌め込まれているホゾ71を貫くように、土台20の側面からビスが打ち込まれている。このようにして、土台20と第１内側柱41、第２内側柱42および第３内側柱43とが固定されている。
【００２７】
（第１外側柱31）
図１および図２に示すように、第１外側柱31は、土台20に対して垂直になるように、土台20上の所定位置に立設される部材である。また、本実施の形態では、第１外側柱31には、木材が用いられている。
また、図１、図２および図４に示すように、第１外側柱31と土台20との接合は、座金付きボルト60を用いて行われている。
また、図１、図２および図４に示すように、第１外側柱31の下部には、座金付きボルト60のボルト部62が挿入されるボルト穴74が設けられている。
【００２８】
また、図１、図２および図４に示すように、第１外側柱31は、土台20上の所定位置に立てられ、また、下側のボルト穴74には、座金付きボルト60のボルト部62が挿入される。また、図１、図２および図４に示すように、第１外側柱31には、ナット締結穴75が設けられている。ナット締結穴75は、第１外側柱31の側面からボルト部62の先端付近まで至るように形成されている。そして、ナット締結穴75を介して、２枚の座金63がボルト部62の先端付近に重ねて嵌められ、その後に、２つのナット64がボルト部62の先端付近に順次締結される。このようにして、土台20と第１外側柱31とが固定される。
また、図１および図２に示すように、第１外側柱31と梁50との接合は、土台20と第１外側柱31との接合と同様に、座金付きボルト60を用いて行われている。上下が逆になるだけで、技術的には、上述した、土台20と第１外側柱31との接合と同様である。
【００２９】
また、図１、図２および図３に示すように、第１外側柱31の側面における、角材80の嵌め込み箇所に対応する位置には、角材80の側面に設けられている凸部81が嵌る凹部76が設けられている。具体的には、第１外側柱31と第１内側柱41との間には、２つの角材80が嵌め込まれる。そして、第１外側柱31における、第１内側柱41側の側面であって、上記２つの角材80の嵌め込み箇所に対応する位置には、それぞれ凹部76が設けられている。つまり、第１外側柱31における、第１内側柱41側の側面には、２つの凹部76が設けられている。
また、図１、図２および図３に示すように、第１外側柱31における、角材80の嵌め込み箇所に対応する位置には、角材貫通孔82と同一直線上に位置して角材80側の側面から角材80とは反対側の側面まで貫通する柱貫通孔77が設けられている。具体的には、第１外側柱31と第１内側柱41との間には、２つの角材80が嵌め込まれる。そして、第１外側柱31における、上記２つの角材80の嵌め込み箇所に対応する位置には、それぞれ、第１内側柱41側の側面から第１内側柱41とは反対側の側面まで貫通する柱貫通孔77が４つずつ設けられている。また、各柱貫通孔77は、対応する角材貫通孔82と同一直線上に位置するようにしてある。
【００３０】
（第２外側柱32）
図１および図２に示すように、第２外側柱32は、土台20に対して垂直になるように、第１外側柱31とは所定間隔をあけて土台20上に立設される部材である。また、本実施の形態では、第２外側柱32には、木材が用いられている。
また、図１、図２および図４に示すように、第２外側柱32と土台20との接合は、第１外側柱31と土台20との接合と同様に、座金付きボルト60を用いて行われている。
また、図１および図２に示すように、第２外側柱32と梁50との接合は、第１外側柱31と梁50との接合とは異なり、ホゾ71およびホゾ穴72により行われている。
【００３１】
また、図１および図２に示すように、第２外側柱32の上端には、ホゾ71が設けられている。このホゾ71は、梁50の下面に設けられたホゾ穴72に嵌め込まれている。さらに、図示しないが、ホゾ穴72に嵌め込まれているホゾ71を貫くように、梁50の側面からビスが打ち込まれている。このようにして、第２外側柱32と梁50とが固定されている。
また、図１および図２に示すように、第２外側柱32の側面における、角材80の嵌め込み箇所に対応する位置には、角材80の側面に設けられている凸部81が嵌る凹部76が設けられている。具体的には、第２外側柱32と第３内側柱43との間には、２つの角材80が嵌め込まれる。そして、第２外側柱32における、第３内側柱43側の側面であって、上記２つの角材80の嵌め込み箇所に対応する位置には、それぞれ凹部76が設けられている。つまり、第２外側柱32における、第３内側柱43側の側面には、２つの凹部76が設けられている。
【００３２】
また、図１および図２に示すように、第２外側柱32における、角材80の嵌め込み箇所に対応する位置には、角材貫通孔82と同一直線上に位置して角材80側の側面から角材80とは反対側の側面まで貫通する柱貫通孔77が設けられている。具体的には、第２外側柱32と第３内側柱43との間には、２つの角材80が嵌め込まれる。そして、第２外側柱32における、上記２つの角材80の嵌め込み箇所に対応する位置には、それぞれ、第３内側柱43側の側面から第３内側柱43とは反対側の側面まで貫通する柱貫通孔77が４つずつ設けられている。また、各柱貫通孔77は、対応する角材貫通孔82と同一直線上に位置するようにしてある。
（第１内側柱41）
図１および図２に示すように、第１内側柱41は、土台20に対して垂直になるように、土台20上における、第１外側柱31と第２外側柱32との間の所定位置に立設される部材である。本実施の形態では、第１外側柱31と第２外側柱32との間には、３本の内側柱が所定間隔をあけて立設されており、そのうち最も第１外側柱31寄りのものが、第１内側柱41である。また、本実施の形態では、第１内側柱41には、木材が用いられている。
【００３３】
また、図１および図２に示すように、第１内側柱41と土台20との接合は、ホゾ71およびホゾ穴72により行われている。
また、図１および図２に示すように、第１内側柱41の下端には、ホゾ71が設けられている。このホゾ71は、土台20に設けられたホゾ穴72に嵌め込まれている。さらに、図示しないが、ホゾ穴72に嵌め込まれているホゾ71を貫くように、土台20の側面からビスが打ち込まれている。このようにして、第１内側柱41と土台20とが固定されている。
また、図１および図２に示すように、第１内側柱41と梁50との接合は、土台20との接合と同様に、ホゾ71およびホゾ穴72により行われている。
【００３４】
また、図１および図２に示すように、第１内側柱41の上端には、ホゾ71が設けられている。このホゾ71は、梁50の下面に設けられたホゾ穴72に嵌め込まれている。さらに、図示しないが、ホゾ穴72に嵌め込まれているホゾ71を貫くように、梁50の側面からビスが打ち込まれている。このようにして、第１内側柱41と梁50とが固定されている。
また、図１および図２に示すように、第１内側柱41の側面における、角材80の嵌め込み箇所に対応する位置には、角材80の側面に設けられている凸部81が嵌る凹部76が設けられている。具体的には、第１内側柱41と第１外側柱31との間には、２つの角材80が嵌め込まれる。そして、第１内側柱41における、第１外側柱31側の側面であって、上記２つの角材80の嵌め込み箇所に対応する位置には、それぞれ凹部76が設けられている。つまり、第１内側柱41における、第１外側柱31側の側面には、２つの凹部76が設けられている。また、第１内側柱41と第２内側柱42との間には、４つの角材80が嵌め込まれる。そして、第１内側柱41における、第２内側柱42側の側面であって、上記４つの角材80の嵌め込み箇所に対応する位置には、それぞれ凹部76が設けられている。つまり、第１内側柱41における、第２内側柱42側の側面には、４つの凹部76が設けられている。
【００３５】
また、図１および図２に示すように、第１内側柱41における、角材80の嵌め込み箇所に対応する位置には、角材貫通孔82と同一直線上に位置して角材80側の側面から角材80とは反対側の側面まで貫通する柱貫通孔77が設けられている。具体的には、第１内側柱41と第１外側柱31との間には、２つの角材80が嵌め込まれる。そして、これら２つの角材80の嵌め込み箇所に対応する位置には、それぞれ、第１外側柱31側の側面から第１外側柱31とは反対側の側面まで貫通する柱貫通孔77が４つずつ設けられている。また、第１内側柱41と第２内側柱42との間には、４つの角材80が嵌め込まれる。そして、これら４つの角材80の嵌め込み箇所に対応する位置には、それぞれ、第２内側柱42側の側面から第２内側柱42とは反対側の側面まで貫通する柱貫通孔77が２つずつ設けられている。また、各柱貫通孔77は、対応する角材貫通孔82と同一直線上に位置するようにしてある。
【００３６】
（第２内側柱42）
図１および図２に示すように、第２内側柱42は、土台20に対して垂直になるように、土台20上における、第１外側柱31と第２外側柱32との間の所定位置に立設される部材である。本実施の形態では、第１外側柱31と第２外側柱32との間には、３本の内側柱が所定間隔をあけて立設されており、そのうち中央に位置するものが、第２内側柱42である。また、本実施の形態では、第２内側柱42には、木材が用いられている。
また、図１および図２に示すように、第２内側柱42と土台20との接合は、第１内側柱41と同様に、ホゾ71およびホゾ穴72により行われている。
【００３７】
また、図１および図２に示すように、第２内側柱42と梁50との接合も、第１内側柱41と同様に、ホゾ71およびホゾ穴72により行われている。
また、図１および図２に示すように、第２内側柱42の側面における、角材80の嵌め込み箇所に対応する位置には、角材80の側面に設けられている凸部81が嵌る凹部76が設けられている。具体的には、第２内側柱42と第１内側柱41との間には、４つの角材80が嵌め込まれる。そして、第２内側柱42における、第１内側柱41側の側面であって、上記４つの角材80の嵌め込み箇所に対応する位置には、それぞれ凹部76が設けられている。つまり、第２内側柱42における、第１内側柱41側の側面には、４つの凹部76が設けられている。また、第２内側柱42と第３内側柱43との間にも、４つの角材80が嵌め込まれる。そして、第２内側柱42における、第３内側柱43側の側面であって、上記４つの角材80の嵌め込み箇所に対応する位置には、それぞれ凹部76が設けられている。つまり、第２内側柱42における、第３内側柱43側の側面にも、４つの凹部76が設けられている。
【００３８】
また、図１および図２に示すように、第２内側柱42における、角材80の嵌め込み箇所に対応する位置には、角材貫通孔82と同一直線上に位置して角材80側の側面から角材80とは反対側の側面まで貫通する柱貫通孔77が設けられている。具体的には、第２内側柱42と第１内側柱41との間には、４つの角材80が嵌め込まれる。そして、これら４つの角材80の嵌め込み箇所に対応する位置には、それぞれ、第１内側柱41側の側面から第１内側柱41とは反対側の側面まで貫通する柱貫通孔77が２つずつ設けられている。また、第２内側柱42と第３内側柱43との間にも、４つの角材80が嵌め込まれる。そして、これら４つの角材80の嵌め込み箇所に対応する位置には、それぞれ、第３内側柱43側の側面から第３内側柱43とは反対側の側面まで貫通する柱貫通孔77が２つずつ設けられている。また、各柱貫通孔77は、対応する角材貫通孔82と同一直線上に位置するようにしてある。
【００３９】
（第３内側柱43）
図１および図２に示すように、第３内側柱43は、土台20に対して垂直になるように、土台20上における、第１外側柱31と第２外側柱32との間の所定位置に立設される部材である。本実施の形態では、第１外側柱31と第２外側柱32との間には、３本の内側柱が所定間隔をあけて立設されており、そのうち最も第２外側柱32寄りのものが、第３内側柱43である。また、本実施の形態では、第３内側柱43には、木材が用いられている。
また、図１および図２に示すように、第３内側柱43と土台20との接合は、第１内側柱41や第２内側柱42と同様に、ホゾ71およびホゾ穴72により行われている。
【００４０】
また、図１および図２に示すように、第３内側柱43と梁50との接合も、第１内側柱41や第２内側柱42と同様に、ホゾ71およびホゾ穴72により行われている。
また、図１および図２に示すように、第３内側柱43の側面における、角材80の嵌め込み箇所に対応する位置には、角材80の側面に設けられている凸部81が嵌る凹部76が設けられている。具体的には、第３内側柱43と第２内側柱42との間には、４つの角材80が嵌め込まれる。そして、第３内側柱43における、第２内側柱42側の側面であって、上記４つの角材80の嵌め込み箇所に対応する位置には、それぞれ凹部76が設けられている。つまり、第３内側柱43における、第２内側柱42側の側面には、４つの凹部76が設けられている。また、第３内側柱43と第２外側柱32との間には、２つの角材80が嵌め込まれる。そして、第３内側柱43における、第２外側柱32側の側面であって、上記２つの角材80の嵌め込み箇所に対応する位置には、それぞれ凹部76が設けられている。つまり、第３内側柱43における、第２外側柱32側の側面には、２つの凹部76が設けられている。
【００４１】
また、図１および図２に示すように、第３内側柱43における、角材80の嵌め込み箇所に対応する位置には、角材貫通孔82と同一直線上に位置して角材80側の側面から角材80とは反対側の側面まで貫通する柱貫通孔77が設けられている。具体的には、第３内側柱43と第２外側柱32との間には、２つの角材80が嵌め込まれる。そして、これら２つの角材80の嵌め込み箇所に対応する位置には、それぞれ、第２外側柱32側の側面から第２外側柱32とは反対側の側面まで貫通する柱貫通孔77が４つずつ設けられている。また、第３内側柱43と第２内側柱42との間には、４つの角材80が嵌め込まれる。そして、これら４つの角材80の嵌め込み箇所に対応する位置には、それぞれ、第２内側柱42側の側面から第２内側柱42とは反対側の側面まで貫通する柱貫通孔77が２つずつ設けられている。また、各柱貫通孔77は、対応する角材貫通孔82と同一直線上に位置するようにしてある。
【００４２】
（上横架材50／梁50）
図１および図２に示すように、上横架材50としての梁50は、土台20に対して平行になるように土台20の上方に配置され、第１外側柱31の上部、第１内側柱41の上部、第２内側柱42の上部、第３内側柱43の上部、および第２外側柱32の上部と接合される部材である。また、本実施の形態では、梁50には、木材が用いられている。
また、図１および図２に示すように、梁50と第１外側柱31との接合は、座金付きボルト60を用いて行われており、また、梁50と第１内側柱41との接合、梁50と第２内側柱42との接合、梁50と第３内側柱43との接合、および梁50と第２外側柱32との接合は、ホゾ71およびホゾ穴72により行われている。
【００４３】
また、図１および図２に示すように、梁50には、１つのボルト穴74と、４つのホゾ穴72とが横並びに設けられている。ボルト穴74は、第１外側柱31を立てる位置に設けられ、また、最も右側のホゾ穴72は、第１内側柱41を立てる位置に設けられ、また、右から２番目のホゾ穴72は、第２内側柱42を立てる位置に設けられ、また、右から３番目のホゾ穴72は、第３内側柱43を立てる位置に設けられ、また、最も左側のホゾ穴72は、第２外側柱32を立てる位置に設けられている。
また、図１および図２に示すように、梁50の上面には、座金付きボルト60の座金部61が収まる座掘73が設けられている。また、座掘73は、第１外側柱31を立てる位置に設けられている。また、座掘73は、ボルト穴74と連通している。
【００４４】
また、図１および図２に示すように、座掘73には、座金付きボルト60の座金部61が収められているとともに、ボルト穴74には、座金付きボルト60のボルト部62が挿入されている。
また、図１および図２に示すように、最も右側のホゾ穴72には、第１内側柱41の上端に設けたホゾ71が、また、右から２番目のホゾ穴72には、第２内側柱42の上端に設けたホゾ71が、また、右から３番目のホゾ穴72には、第３内側柱43の上端に設けたホゾ71が、また、最も左側のホゾ穴72には、第２外側柱32の上端に設けたホゾ71が、それぞれ嵌合している。さらに、図示しないが、第１内側柱41、第２内側柱42、第３内側柱43および第２外側柱32のそれぞれについて、ホゾ穴72に嵌め込まれているホゾ71を貫くように、梁50の側面からビスが打ち込まれている。このようにして、梁50と第１内側柱41、第２内側柱42、第３内側柱43および第２外側柱32とが固定されている。
【００４５】
（角材80）
図１および図２に示すように、外枠の対角線上であって、第１外側柱31と第１内側柱41との間、第１内側柱41と第２内側柱42との間、第２内側柱42と第３内側柱43との間、および第３内側柱43と第２外側柱32との間には、それぞれ、角材80が嵌め込まれている。
また、図１および図２に示すように、第１内側柱41と第２内側柱42との間であって、下横架材20付近および上横架材50付近には、それぞれ、角材80が嵌め込まれている。
また、図１および図２に示すように、第２内側柱42と第３内側柱43との間であって、下横架材20付近および上横架材50付近には、それぞれ、角材80が嵌め込まれている。
【００４６】
また、本実施の形態では、これらの角材80には、木材が用いられている。
具体的には、図１および図２に示すように、第１外側柱31と第１内側柱41との間には、２つの角材80が嵌め込まれている。これら２つの角材80は、いずれも、外枠の対角線上に位置するものである。
また、図１および図２に示すように、第１内側柱41と第２内側柱42との間には、４つの角材80が嵌め込まれている。これら４つの角材80のうち、下から２番目のものと、下から３番目のものとは、外枠の対角線上に位置するものであるが、最も下側に位置するものと、最も上側に位置するものとは、外枠の対角線上に位置するものではない。
【００４７】
また、図１および図２に示すように、第２内側柱42と第３内側柱43との間には、４つの角材80が嵌め込まれている。これら４つの角材80のうち、下から２番目のものと、下から３番目のものとは、外枠の対角線上に位置するものであるが、最も下側に位置するものと、最も上側に位置するものとは、外枠の対角線上に位置するものではない。
また、第１内側柱41と、第２内側柱42と、第３内側柱43と、第１内側柱41と第２内側柱42との間に嵌め込まれる角材80であって土台20付近（最も下側）に位置するものと、第１内側柱41と第２内側柱42との間に嵌め込まれる角材80であって梁50付近（最も上側）に位置するものと、第２内側柱42と第３内側柱43との間に嵌め込まれる角材80であって土台20付近（最も下側）に位置するものと、第２内側柱42と第３内側柱43との間に嵌め込まれる角材80であって土台20付近（最も上側）に位置するものとから、四角形の構造体が形成される。この四角形の構造体は、ひし形にはなりにくい。また、上述したように、第１内側柱41の下端が土台20に固定されているとともに同上端が梁50に固定され、また、第２内側柱42の下端が土台20に固定されているとともに同上端が梁50に固定され、また、第３内側柱43の下端が土台20に固定されているとともに同上端が梁50に固定されていることから、この四角形の構造体は、土台20および梁50の双方と固定されている。
【００４８】
また、図１および図２に示すように、第３内側柱43と第２外側柱32との間には、２つの角材80が嵌め込まれている。これら２つの角材80は、いずれも、外枠の対角線上に位置するものである。
またここで、第１外側柱31、第１内側柱41、第２内側柱42、第３内側柱43および第２外側柱32を総称して単に「柱」とする。図１および図２に示すように、上述した合計１２個の各角材80における柱側の側面には、凸部81が設けられている。さらに、上述した合計１２個の各角材80には、一方の柱側側面から他方の柱側側面まで貫通する角材貫通孔82が設けられている。そして、角材貫通孔82およびその両側の柱貫通孔77には、一方の柱貫通孔77から角材貫通孔82を介して他方の角材貫通孔82まで至る木栓90が圧入されている。
【００４９】
ここで、第１外側柱31と第１内側柱41との間に嵌め込まれる２つの角材80のうち、下側の角材80を例に、凸部81、凹部76、角材貫通孔82、柱貫通孔77、および木栓90などについて説明する。
角材80における、第１外側柱31側の側面には、凸部81が設けられている。一方、第１外側柱31の第１内側柱41側の側面における、角材80の嵌め込み箇所に対応する位置には、凹部76が設けられている。そして、これらは嵌り合っている。
また、角材80における、第１内側柱41側の側面にも、凸部81が設けられている。一方、第１内側柱41の第１外側柱31側の側面における、角材80の嵌め込み箇所に対応する位置には、凹部76が設けられている。そして、これらも嵌り合っている。
【００５０】
また、角材80には、４つの角材貫通孔82が設けられている。また、各角材貫通孔82は、第１外側柱31側の側面から第１内側柱41側の側面まで貫通している。また、第１外側柱31における、角材80の嵌め込み箇所に対応する位置には、４つの柱貫通孔77が設けられている。また、第１内側柱41における、角材80の嵌め込み箇所に対応する位置にも、４つの柱貫通孔77が設けられている。また、各柱貫通孔77は、対応する各角材貫通孔82とそれぞれ同一直線上に位置するようにしてあり、角材80側の側面から角材80とは反対側の側面まで貫通している。
第１外側柱31と第１内側柱41との間に角材80が嵌め込まれると、第１外側柱31の柱貫通孔77と、角材貫通孔82と、第１内側柱41の柱貫通孔77とが一直線上に並ぶ。そして、このように一直線上に並んだ、第１外側柱31の柱貫通孔77、角材貫通孔82、および第１内側柱41の柱貫通孔77には、第１外側柱31の柱貫通孔77から角材貫通孔82を介して第１内側柱41の柱貫通孔77まで至る長さの木栓90が圧入される。
【００５１】
(作用・効果）
このように、本実施の形態に係る耐力壁10は、下横架材20と第１外側柱31と第２外側柱32と上横架材50とによって、四角形の外枠が形成されるとともに、外枠の内側に、第１内側柱41、第２内側柱42、および第３内側柱43が所定間隔をあけて立設されている。そして、外枠の対角線上であって、第１外側柱31と第１内側柱41との間、第１内側柱41と第２内側柱42との間、第２内側柱42と第３内側柱43との間、および第３内側柱43と第２外側柱32との間には、それぞれ、角材80が嵌め込まれている。そして、本実施の形態に係る耐力壁10では、対角線上に位置する内側柱および角材80が筋交いとして機能するようにしており、これにより、外枠がひし形になるような変形を防止している。また、本実施の形態に係る耐力壁10は、角材80が嵌め込まれていない部分が光や風を通すことから、室内に設けても壁としての抵抗感がなく、室内空間を広く開放的に見せることができ、その上、意匠的にも美しく、しかも、角材80の上には装飾品などを置くことができる。
【００５２】
また、本実施の形態に係る耐力壁10では、第１内側柱41と第２内側柱42との間であって、下横架材20付近および上横架材50付近に、それぞれ、角材80が嵌め込まれているとともに、第２内側柱42と第３内側柱43との間であって、下横架材20付近および上横架材50付近にも、それぞれ、角材80が嵌め込まれている。そして、これらによって、四角形の構造体が形成されている。この四角形の構造体は、変形しにくい。このため、この四角形の構造体は、外枠がひし形になるような変形の防止に寄与する。したがって、本実施の形態に係る耐力壁10は、高い耐震性能を発揮する。
また、第１外側柱31、第１内側柱41、第２内側柱42、第３内側柱43、および第２外側柱32を総称して「柱」とすると、本実施の形態に係る耐力壁10は、各角材80における柱側の側面に、凸部81を設けるとともに、各柱の側面における角材80の嵌め込み箇所に対応する位置に、凸部81が嵌る凹部76を設けている。そして、各凸部81は、対応する各凹部76に、それぞれ嵌り込んでいる。このため、本実施の形態に係る耐力壁10では、水平方向の力が加わると、変形し始めてすぐに、凸部81と凹部76とが互いに引っ掛かり合うので、それ以上の変形が阻止される。したがって、本実施の形態に係る耐力壁10は、高い初期剛性を発揮するとともに、高い耐震性能を発揮する。
【００５３】
また、第１外側柱31、第１内側柱41、第２内側柱42、第３内側柱43、および第２外側柱32を総称して「柱」とすると、本実施の形態に係る耐力壁10は、各角材80に、角材貫通孔82を設けるとともに、各柱における角材80の嵌め込み箇所に対応する位置には、柱貫通孔77を設けている。柱と柱との間に角材80を嵌め込むと、一方の柱の柱貫通孔77と、角材貫通孔82と、他方の柱の柱貫通孔77とが一直線上に並ぶ。そして、一直線上に並んだ、一方の柱の柱貫通孔77と、角材貫通孔82と、他方の柱の柱貫通孔77とに、一方の柱の柱貫通孔77から角材貫通孔82を介して他方の柱の柱貫通孔77まで至る長さの木栓90が圧入されている。このため、本実施の形態に係る耐力壁10では、水平方向の力が加わったときに、柱に対して角材80がずれるのを、木栓90が阻止する。しかも、木栓90には柔軟性があるため、水平方向の力が加わったときに、柱や角材80や木栓90が一気に破壊されることはなく、ゆっくりと破壊される。したがって、本実施の形態に係る耐力壁10は、高い耐震性能を発揮する。
【図面の簡単な説明】
【００５４】
【図１】本実施の形態に係る耐力壁の正面図。
【図２】本実施の形態に係る耐力壁の分解斜視図。
【図３】本実施の形態に係る耐力壁の分解・要部拡大斜視図。
【図４】本実施の形態に係る耐力壁の分解・要部拡大斜視図。
【符号の説明】
【００５５】
10  耐力壁                            20  土台（下横架材）
31  第１外側柱                        32  第２外側柱
41  第１内側柱                        42  第２内側柱
43  第３内側柱                        50  梁（上横架材）
60  座金付きボルト                    61  座金部
62  ボルト部                          63  座金
64  ナット                            71  ホゾ
72  ホゾ穴                            73  座掘
74  ボルト穴                          75  ナット締結穴
76  凹部                              77  柱貫通孔
80  角材                              81  凸部
82  角材貫通孔                        90  木栓
【図１】
2008255624.tif 000003
【図２】
2008255624.tif 000004
【図３】
2008255624.tif 000005
【図４】
2008255624.tif 000006